(57)【要約】      （修正有）【課題】紫外線の遮蔽能力を簡易な方法で視認することができる紫外線遮蔽物品を提供する。【解決手段】紫外線遮蔽物品１は、ガラス板１１と、ガラス板１１上に形成された紫外線遮蔽膜１２と、を備える。紫外線遮蔽物品１は、紫外線遮蔽膜１２を挟む位置に存在する第１の面１１ａおよび第２の面１２ｂを有する。紫外線遮蔽物品１は、第１の面１１ａ上に設けられた第１の紫外線チェッカー２１と、第２の面上１２ｂに設けられた第２の紫外線チェッカー２２と、をさらに備える。【選択図】図１
0003172218.tif 000002
【実用新案登録請求の範囲】
【請求項１】
ガラス板と、
前記ガラス板上に形成された紫外線遮蔽膜と、を備え、
前記紫外線遮蔽膜を挟む位置に存在する第１の面および第２の面を有する紫外線遮蔽物品であって、
前記第１の面上に設けられた第１の紫外線チェッカーと、
前記第２の面上に設けられた第２の紫外線チェッカーと、をさらに備えた、紫外線遮蔽物品。
【請求項２】
前記紫外線遮蔽膜の厚さ方向に沿って観察したときに、前記第１の紫外線チェッカーと前記第２の紫外線チェッカーの両方を視認できるように、前記第１の紫外線チェッカーと前記第２の紫外線チェッカーとの間の位置関係が設定されている、請求項１に記載の紫外線遮蔽物品。
【請求項３】
前記紫外線遮蔽膜の厚さ方向に沿って観察したときに、前記第１の紫外線チェッカーと前記第２の紫外線チェッカーとが重複しないように、前記第１の紫外線チェッカーと前記第２の紫外線チェッカーとの間の位置関係が設定されている、請求項２に記載の紫外線遮蔽物品。
【請求項４】
前記第１の紫外線チェッカーおよび前記第２の紫外線チェッカーは、紫外線の強度に基づいて可逆的に色が変化する、請求項１〜３のいずれか一項に記載の紫外線遮蔽物品。
【請求項５】
前記第１の紫外線チェッカーおよび前記第２の紫外線チェッカーは、同一の材料により構成されている、請求項１〜４のいずれか一項に記載の紫外線遮蔽物品。
【考案の詳細な説明】
【技術分野】
【０００１】
本考案は、ガラス板および紫外線遮蔽膜を備えた紫外線遮蔽物品に関する。
【背景技術】
【０００２】
ガラス板には、可視光線を透過させながら紫外線を遮蔽する特性が求められている。特に、窓ガラス用途では、日焼け防止等の観点から、紫外線を遮蔽する機能を付加したガラス板への需要が高まっている。
【０００３】
このような観点から、特許文献１に開示されているように、ガラス板上には紫外線遮蔽膜が形成されることがある。
【０００４】
他方、日焼け防止等の観点から、紫外線照射量を測定するための紫外線チェッカーが製造されている。例えば、特許文献２には、照射される紫外線量に基づいて色が変わる紫外線チェッカーが開示されている。
【先行技術文献】
【特許文献】
【０００５】
【特許文献１】国際公開第２００６／１３７４５４号パンフレット
【特許文献２】特開平９−５３９８１号公報
【考案の概要】
【考案が解決しようとする課題】
【０００６】
ところで、ガラス板のユーザーからは、ガラス板および紫外線遮蔽膜を備えた紫外線遮蔽物品の紫外線の遮蔽能力を簡易な方法で把握したいという要望がある。
【課題を解決するための手段】
【０００７】
本考案は、このような事情に鑑み、紫外線の遮蔽能力を容易に把握可能な紫外線遮蔽物品を提供することを目的とする。
【０００８】
本考案は、
ガラス板と、
前記ガラス板上に形成された紫外線遮蔽膜と、を備え、
前記紫外線遮蔽膜を挟む位置に存在する第１の面および第２の面を有する紫外線遮蔽物品であって、
前記第１の面上に設けられた第１の紫外線チェッカーと、
前記第２の面上に設けられた第２の紫外線チェッカーと、をさらに備えた、紫外線遮蔽物品、
を提供する。
【考案の効果】
【０００９】
本考案によれば、紫外線遮蔽物品の紫外線の遮蔽能力を容易に把握できる。
【図面の簡単な説明】
【００１０】
【図１】本考案の一実施形態に係る紫外線遮蔽物品の断面図
【図２】本考案の一実施形態に係る紫外線遮蔽物品の正面図
【図３】本考案の効果を説明するための紫外線遮蔽物品の模式図
【考案を実施するための形態】
【００１１】
以下、この考案の一実施形態について、図面を参照しつつ説明する。
【００１２】
図１は、本考案の紫外線遮蔽物品の一例の断面図である。図１に示すように、紫外線遮蔽物品１は、ガラス板１１と、紫外線遮蔽膜１２と、第１の紫外線チェッカー２１と、第２の紫外線チェッカー２２とを備えている。紫外線遮蔽物品１では、ガラス板１１の裏面１１ｂと紫外線遮蔽膜１２の表面１２ａとが接している。第１の紫外線チェッカー２１はガラス板１１の表面１１ａ上に、第２の紫外線チェッカー２２は紫外線遮蔽膜１２の裏面１２ｂ上に、それぞれ設けられている。また、図２は、紫外線遮蔽物品１を、第２の紫外線チェッカー２２側から観察したときの平面図である。
【００１３】
ガラス板１１は、透光性を有するのであればその種類を問わず、好ましくは透明である。ガラス板１１としては、一般に窓ガラスに使用されているソーダ石灰珪酸塩ガラス板を用いれば足りる。ガラス板１１は、酸化チタン、酸化セリウム等の紫外線吸収成分を含んでいてもよい。ガラス板１１の厚さは特に限定されないが、例えば０．１〜２０ｍｍ、好ましくは２〜６ｍｍである。
【００１４】
紫外線遮蔽膜１２は、紫外線を吸収および反射する（紫外線を遮蔽する）機能を有する透光性の膜である。本実施形態の紫外線遮蔽膜１２は、シリカを主成分（質量％基準で含有率が最も高い成分）とし、紫外線吸収剤を含む膜である。紫外線吸収剤として用いられ得る有機材料は、例えば、ベンゾトリアゾール系、ベンゾフェノン系、ヒドロキシフェニルトリアジン系およびシアノアクリレート系から選ばれる少なくとも１種の化合物である。また、紫外線吸収剤として用いられ得る無機材料は、例えば、酸化チタン、酸化セリウム、酸化鉄（Ｆｅ2Ｏ3）である。ただし、紫外線吸収性能の観点から、紫外線吸収剤としては無機材料よりも有機材料が好ましい。紫外線遮蔽膜１２は、ゾルゲル法等によりガラス板１１上に形成できる。紫外線遮蔽膜１２の厚さは特に限定されないが、例えば１００〜５０００ｎｍ、好ましくは１０００〜４０００ｎｍである。
【００１５】
第１の紫外線チェッカー２１および第２の紫外線チェッカー２２は、紫外線の強度に基づいて色が変化する染料を含み、この染料の作用により紫外線の強度に応じた色を示す。紫外線の強度に基づいて色が変化する染料としては、フォトクロミックインキが挙げられる。フォトクロミックインキとしては、スピロオキサジン系の顔料（日本ケミックス社製のフォトクローム等）、スピロナフトオキサジン系化合物の顔料（日本ケミックス社製の１Ｔ，２Ｔ，１２Ｔ，１４Ｔ，１５Ｔ等）、フルギド誘導体（日本ケミックス社製のＥ−フルギド等）を用いた顔料、８−メチル−５’−メチルスルホニル−１’，３’，３’−トリメチル−６−ニトロスピロ（２Ｈ−１−ベンゾピラン−２，２’−インドリン）（例えば、日本感光色素研究所製）を用いた顔料、Ｎ−サリチリデンアニリン（例えば、東京化成工業社製）を用いた顔料、２−（２，４−ジニトロベンジル）−ピリジン（例えば、Ｋｏｄａｃ社製）を用いた顔料、エチルビス（２，４−ジニトロフェニル）アセタート（例えば、Ｋｏｄａｃ社製）を用いた顔料が挙げられる。
【００１６】
第１の紫外線チェッカー２１の形状および取付方法は特に限定されない。本実施形態では、第１の紫外線チェッカー２１は膜の形状を有し、ガラス板１１の表面１１ａに印刷されることにより構成されている。他の採用可能な態様としては、第１の紫外線チェッカー２１としてフィルム状に成形された紫外線チェッカーを用い、この紫外線チェッカーを表面１１ａに貼り付ける態様が挙げられる。第２の紫外線チェッカー２２も、紫外線遮蔽膜１２の裏面１２ｂ上に、第１の紫外線チェッカー２１と同様に構成され得る。
【００１７】
本実施形態では、第１の紫外線チェッカー２１が設けられている表面１１ａを第１の面、第２の紫外線チェッカー２２が設けられている裏面１２ｂを第２の面としたときに、第１の面および第２の面はガラス板１１および紫外線遮蔽膜１２を挟む位置に存在する。他方、本実施形態のガラス板１１および紫外線遮蔽膜１２は透光性であるので、ガラス板１１および紫外線遮蔽膜１２により、第１の紫外線チェッカー２１および第２の紫外線チェッカー２２の視認が妨げられることはない。これらの構成により、ガラス板１１および紫外線遮蔽膜１２の紫外線遮蔽能力を視認できる（詳細は後述）。
【００１８】
次に、図３を参照しつつ本考案の効果について説明する。図３は、第１の紫外線チェッカー２１側から紫外線遮蔽物品１に紫外線が入射したときの模式図である。
【００１９】
図３において、ＵＶ１は第１の紫外線チェッカー２１に照射される紫外線の強度を模式的に表した矢印であり、ＵＶ２は第２の紫外線チェッカー２２に照射される紫外線の強度を模式的に表した矢印である。紫外線遮蔽膜１２は紫外線を遮蔽する機能を有するので、紫外線遮蔽膜１２に入射する紫外線の大部分は紫外線遮蔽膜１２により遮蔽される。また、上記のように、第１の紫外線チェッカー２１が設けられている第１の面（表面１１ａ）および第２の紫外線チェッカー２２が設けられている第２の面（裏面１２ｂ）は、ガラス板１１および紫外線遮蔽膜１２を挟んでいるので、ＵＶ１の強度を有する紫外線は、強度を弱めながら紫外線遮蔽膜１２を透過して、強度がＵＶ２となる。すなわち、ＵＶ２はＵＶ１よりも小さい。
【００２０】
第１の紫外線チェッカー２１は紫外線の強度ＵＶ１に基づいて発色し、第２の紫外線チェッカー２２は紫外線の強度ＵＶ２に基づいて発色する。したがって、第１の紫外線チェッカー２１の色および第２の紫外線チェッカー２２の色を視認することにより、ＵＶ１およびＵＶ２についての情報を得ることができる。そして、これらを比較することにより、ガラス板１１および紫外線遮蔽膜１２が有する紫外線の遮蔽能力の総和を視認により把握できる。
【００２１】
本実施形態では、紫外線遮蔽膜１２の厚さ方向（つまり、紫外線遮蔽膜１２の表面１２ａから裏面１２ｂに向かう方向または紫外線遮蔽膜１２の裏面１２ｂから表面１２ａに向かう方向の少なくとも一方）に沿って観察したときに、第１の紫外線チェッカー２１と第２の紫外線チェッカー２２の両方を同時に視認できる。したがって、ＵＶ１およびＵＶ２を同時に把握できる。
【００２２】
なお、紫外線遮蔽膜１２の厚さ方向に沿って観察したときに、第１の紫外線チェッカー２１と第２の紫外線チェッカー２２とが共有する範囲を有していても（重複していても）、第１の紫外線チェッカー２１および第２の紫外線チェッカー２２の各々が共有する範囲の範囲外にも拡がっていれば、第１の紫外線チェッカー２１と第２の紫外線チェッカー２２の両方を同時に視認できるという上記の効果を得ることはできる。これに対し、本実施形態では、紫外線遮蔽膜１２の厚さ方向に沿って観察したときに、第１の紫外線チェッカー２１と第２の紫外線チェッカー２２とが共有する範囲を有さない（重複していない）。したがって、本実施形態ではさらに、第１の紫外線チェッカー２１に照射されるべき紫外線が第２の紫外線チェッカー２２により妨げられたり、第２の紫外線チェッカー２２に照射されるべき紫外線が第１の紫外線チェッカー２１により妨げられたりすることがない。これにより、第１の紫外線チェッカー２１の色がＵＶ１を正確に表し、第２の紫外線チェッカー２２の色がＵＶ２を正確に表すことができるという効果を併せて得ることができる。
【００２３】
また、紫外線遮蔽膜１２の厚さ方向に沿って観察したときに、第１の紫外線チェッカー２１と第２の紫外線チェッカー２２とが接していても、離間していても、上記のような、第１の紫外線チェッカー２１と第２の紫外線チェッカー２２の両方を同時に視認できるという効果と、第１の紫外線チェッカー２１の色がＵＶ１を正確に表し、第２の紫外線チェッカー２２の色がＵＶ２を正確に表すことができるという効果の両方を得ることができる。本実施形態では、紫外線遮蔽膜１２の厚さ方向に沿って観察したときに、第１の紫外線チェッカー２１と第２の紫外線チェッカー２２とが接している。これにより、第１の紫外線チェッカー２１の色と第２の紫外線チェッカー２２の色の比較がより容易となるという効果を併せて得ることができる。
【００２４】
他方、紫外線遮蔽膜１２の厚さ方向に沿って観察したときに、第１の紫外線チェッカー２１と第２の紫外線チェッカー２２とが離間している場合は、紫外線の入射方向が紫外線遮蔽膜１２の厚さ方向に沿っていない場合であっても、第１の紫外線チェッカー２１に照射されるべき紫外線が第２の紫外線チェッカー２２により妨げられたり、第２の紫外線チェッカー２２に照射されるべき紫外線が第１の紫外線チェッカー２１により妨げられたりするおそれが低減されるという効果を得ることができる。
【００２５】
紫外線の強度に基づいて色が変化する紫外線チェッカーには、紫外線の強度に基づいて可逆的に色が変化するものと、不可逆的に色が変化するものとが存在するが、本実施形態の第１の紫外線チェッカー２１および第２の紫外線チェッカー２２は、可逆的に色が変化する。したがって、本実施形態の第１の紫外線チェッカー２１および第２の紫外線チェッカー２２により、紫外線の強度をリアルタイムで把握できる。紫外線の強度をリアルタイムで把握できることは、ガラス板１１および紫外線遮蔽膜１２による紫外線の遮蔽能力を経時的に（入射する紫外線の強度毎に）把握できる点で好ましい。紫外線遮蔽膜１２の経年劣化を把握することも可能である。
【００２６】
他方、第１の紫外線チェッカー２１および第２の紫外線チェッカー２２として、紫外線の強度に基づいて不可逆的に色が変化するもの（例えば、マラカイドグリーン、クリスタルバイオレットラクトン等の塩基性染料）を採用した場合は、第１の紫外線チェッカー２１および第２の紫外線チェッカー２２の視認により、照射された紫外線の積算量を把握できる。なお、第１の紫外線チェッカー２１および第２の紫外線チェッカー２２は、可逆的に色が変化する部分と不可逆的に色が変化する部分とを組み合わせることにより構成されていてもよい。
【００２７】
また、第１の紫外線チェッカー２１および第２の紫外線チェッカー２２は、各々が同一の材料により構成されていてもよく、別々の材料により構成されていてもよいが、本実施形態の第１の紫外線チェッカー２１および第２の紫外線チェッカー２２は、同一の材料により構成されている。これにより、第１の紫外線チェッカー２１の色と第２の紫外線チェッカー２２の色の比較が容易となり、ＵＶ１とＵＶ２の相違を容易に把握できる。
【００２８】
また、紫外線遮蔽膜１２を挟む位置関係を有する限り、第１の面および第２の面の各々を紫外線遮蔽物品１のいずれの面に設定してもよい。本実施形態では、紫外線遮蔽物品１の表面１１ａを第１の面に、裏面１２ｂを第２の面に、それぞれ設定しているため、第１の紫外線チェッカー２１および第２の紫外線チェッカー２２がガラス板１１および紫外線遮蔽膜１２を挟んでいる。これにより、ガラス板１１および紫外線遮蔽膜１２の紫外線の遮蔽能力の総和を視認により把握できる。
【００２９】
紫外線遮蔽膜１２の表面１２ａを第１の面に、紫外線遮蔽膜１２の裏面１２ｂを第２の面に、それぞれ設定してもよい。この場合は、第１の紫外線チェッカー２１および第２の紫外線チェッカー２２は、紫外線遮蔽膜１２のみを挟むため、紫外線遮蔽膜１２のみの紫外線の遮蔽能力を視認により把握できる。また、この場合は、第１の紫外線チェッカー２１がガラス板１１と紫外線遮蔽膜１２との間に挟まれるので、第１の紫外線チェッカー２１を水等から保護できる。
【００３０】
なお、ガラス板１１にガラスマークを印刷する場合は、ガラスマークを印刷する際に第１の紫外線チェッカー２１および第２の紫外線チェッカー２２を印刷すれば、効率よくガラスマーク、第１の紫外線チェッカー２１および第２の紫外線チェッカー２２を印刷できる。また、ガラスマークを紫外線の強度に基づいて色が変化する染料を含む材料により構成し、第１の紫外線チェッカー２１または第２の紫外線チェッカー２２とすることもできる。
【００３１】
また、本実施形態では、一枚のガラス板１１を有する紫外線遮蔽物品１について説明したが、本考案は、例えば複数のガラスにより構成された合わせガラス等を有する紫外線遮蔽物品にも適用可能である。
【産業上の利用可能性】
【００３２】
本考案に係る紫外線遮蔽物品を自動車用窓ガラスに適用すれば、車内にいながらも車内外の紫外線量および窓ガラスの紫外線遮蔽能力を視認により把握できる。また、本考案に係る紫外線遮蔽物品は、建築用ガラス、ショーケース用ガラスにも適用できる。
【符号の説明】
【００３３】
１      紫外線遮蔽物品
１１    ガラス板
１１ａ，１２ａ  表面
１１ｂ，１２ｂ  裏面
１２    紫外線遮蔽膜
２１    第１の紫外線チェッカー
２２    第２の紫外線チェッカー
【図１】
0003172218.tif 000003
【図２】
0003172218.tif 000004
【図３】
0003172218.tif 000005